(57)【要約】【課題】実装する電子機器を取り外すことなく、他のラックと連結する作業を行うことが可能なラックを提供する。【解決手段】棚板の搭載面外の隅に梁ＢＥ１，ＢＥ２が設けられている。そして、梁ＢＥ１には、内側面に作業穴Ｈ２ａが設けられ、これと連通する連結穴Ｈ２ｂが外側面に設けてあり、連結穴Ｈ２ｂには連通するスペーサ３０が溶接してある。他のラックの梁ＢＥ２には、上記連結穴Ｈ２ｂに対峙する連結穴Ｈ６が設けられ、内部には連結穴Ｈ６と連通する自在ナット４０がガイド５０により狭着されている。そして、ワッシャ２０を介したボルト１０を作業穴Ｈ２ａから挿入すると、スペーサ３０により位置決めされたボルト１０は、連結穴Ｈ２ｂおよび連結穴Ｈ６を介し、六角レンチＷによるボルト締めで自在ナット４０と螺合し、これにより２つのラックが緊結されるようにしたものである。【選択図】    図３
2004288904.tif 000002
【特許請求の範囲】
【請求項１】
物品を載置することが可能な棚板を複数備えるラックにおいて、
前記棚板の物品を載置する面外で前記複数の棚板間をはり渡す第１の梁と、
前記棚板の物品を載置する面外で前記複数の棚板間をはり渡す第２の梁とを具備し、
前記第１の梁は、
外側面にボルトが挿通可能な第１の連結穴を備え、
前記第２の梁は、
外側面にボルトが挿通可能で、他のラックの前記第１の連結穴に対向する位置に設けられた第２の連結穴を備えるとともに、
この第２の連結穴に連通する位置に保持されるナットを、前記外側面の内側に備えることを特徴とするラック。
【請求項２】
前記第１の梁は、前記第１の連結穴に連通するスペーサを、前記外側面の内側に備えることを特徴とする請求項１に記載のラック。
【請求項３】
前記第１の梁は、中空の形状をなすものであって、
さらに、前記第１の梁の内側面に前記第１の連結穴と前記スペーサと連通する作業穴を備えることを特徴とする請求項１または請求項２に記載のラック。
【発明の詳細な説明】
【０００１】
【発明の属する技術分野】
この発明は、例えば電子機器などを収納可能なラックに関する。
【０００２】
【従来の技術】
周知のように、電子機器を収納するラックは、他のラックと連結するために、ラックの側面に連結用の長丸穴が設けてあり、同様の長丸穴が設けられた他のラックと穴の位置合わせが行われた後、これらの長丸穴にボルトを挿通してナットで緊結するようにしている。
【０００３】
しかしながら、上記構成による従来のラックでは、他のラックと連結する作業を行うには、上記長丸穴の近くに電子機器が収納される場合、これらをいったん取り外す必要があり、設置の工事に多くの時間を費やすという問題があった。
【０００４】
【発明が解決しようとする課題】
従来のラックでは、他のラックと連結する作業を行うには、上記長丸穴の近くに電子機器が収納される場合、これらをいったん取り外す必要があり、設置の工事に多くの時間を費やすという問題があった。
【０００５】
この発明は上記の問題を解決すべくなされたもので、実装する電子機器を取り外すことなく、他のラックと連結する作業を行うことが可能なラックを提供することを目的とする。
【０００６】
【課題を解決するための手段】
上記の目的を達成するために、この発明は、物品を載置することが可能な棚板を複数備えるラックにおいて、棚板の物品を載置する面外で複数の棚板間をはり渡す第１の梁と、棚板の物品を載置する面外で複数の棚板間をはり渡す第２の梁とを具備し、第１の梁は、外側面にボルトが挿通可能な第１の連結穴を備え、第２の梁は、外側面にボルトが挿通可能で、他のラックの第１の連結穴に対向する位置に設けられた第２の連結穴を備えるとともに、この第２の連結穴に連通する位置に保持されるナットを、外側面の内側に備えて構成するようにした。
【０００７】
上記構成のラックでは、棚板の物品を載置する面外で複数の棚板間をはり渡す第１の梁と第２の梁とで、ラック同士をボルト−ナット螺合により連結するようにしている。
【０００８】
したがって、上記構成のラックによれば、棚板の物品を載置する面外でラック間の連結作業を行うことができるので、実装する物品を取り外すことなく、他のラックと連結する作業を行うことができる。
【０００９】
【発明の実施の形態】
以下、図面を参照して、この発明の一実施形態について説明する。
図１は、この発明の一実施形態に係わるラックの斜視図である。このラックは、電子機器を載置するための棚板ｂｏ１〜ｂｏ７を備えた角柱状の外形をなしている。そして、外形の四隅には、上記棚板ｂｏ１〜ｂｏ７の搭載面積を圧迫しないように、Ｌ字型で中空の梁ＢＥ１〜ＢＥ４が垂直方向に渡してある。梁ＢＥ１、ＢＥ２は当該ラックの前面に設けられ、梁ＢＥ３、ＢＥ４は背面の設けられる。
【００１０】
また、梁ＢＥ１、ＢＥ３には、それぞれ、連結用の穴が設けてあり、梁ＢＥ１には連結用のボルトおよび六角レンチを通すことが可能な作業穴Ｈ１ａ〜Ｈ４ａが内側面に設けてあり、外側面には上記ボルトの端部をラック外に貫通する連結穴Ｈ１ｂ〜Ｈ４ｂが設けてある。また、梁ＢＥ３には、連結用の長丸穴Ｈ９〜Ｈ１２が外側面に設けてある。
【００１１】
一方、梁ＢＥ２には、他のラックの連結穴Ｈ１ｂ〜Ｈ４ｂを貫通したボルトを挿通するための連結穴Ｈ１ｂ〜Ｈ４ｂが外側面に設けてある。また梁ＢＥ４には、連結用の長丸穴Ｈ９〜Ｈ１２が外側面に設けてある。
【００１２】
そして、このラックは、図２に示すように、同じラックを横方向に整列することで、梁ＢＥ１と、他のラックの梁ＢＥ２とが外側面同士で接し、連結穴Ｈ１ｂ〜Ｈ４ｂおよびＨ５〜Ｈ８の対応するもの同士が連通し、これにボルトが挿通され、ラック間が緊結される。
【００１３】
次に、ラック間を緊結する構造について説明する。ここでは、連結穴Ｈ２ｂとＨ６とをボルトにより緊結する場合を例に挙げて説明する。図３は、２つのラック間を緊結する構造部分（第３図のＸ−Ｘ）の断面図である。また図４は、図３のＹ方向から見た透視図で、図５は、図３のＺ方向から見た透視図である。
【００１４】
なお、連結穴Ｈ２ｂとＨ６とをボルトにより緊結する場合を例に挙げるが、連結穴Ｈ１ｂとＨ５、連結穴Ｈ３ｂとＨ７、連結穴Ｈ４ｂとＨ８とを緊結する場合も同様であることより説明を省略する。
【００１５】
梁ＢＥ１には、連結穴Ｈ２ｂと連通するスペーサ３０が溶接されいる。
一方、梁ＢＥ２には、連結穴Ｈ６と連通する自在ナット４０がガイド５０により狭着されている。またガイド５０は、外部から打ち込まれたサラリベット５１によって鋲着されている。
【００１６】
これにより、２つのラックを整列させると、スペーサ３０、連結穴Ｈ２ｂ、連結穴Ｈ６および自在ナット４０が連通する。この状態で、ワッシャ２０を介したボルト１０を作業穴Ｈ２ａから挿入すると、スペーサ３０により位置決めされたボルト１０は、連結穴Ｈ２ｂ、連結穴Ｈ６を挿通し、自在ナット４０のねじ穴に当接する。そして、六角レンチＷによりボルト締めを行うと、ボルト１０と自在ナット４０とが螺合し、この作用により２つのラックが緊結される。
【００１７】
以上のように、上記構成のラックでは、電子機器を搭載する棚板ｂｏ１〜ｂｏ７の搭載面外の四隅に梁ＢＥ１〜ＢＥ４が設けられている。そして、梁ＢＥ１には、内側面に作業穴Ｈ１ａ〜Ｈ４ａが設けられ、これとそれぞれ連通する連結穴Ｈ１ｂ〜Ｈ４ｂが外側面に設けてあり、この連結穴Ｈ１ｂ〜Ｈ４ｂには連通するスペーサ３０が溶接してある。
【００１８】
一方、梁ＢＥ２には、外側面に他のラックの上記連結穴Ｈ１ｂ〜Ｈ４ｂにそれぞれ対峙する連結穴Ｈ５〜Ｈ８が設けられ、内部には連結穴Ｈ５〜Ｈ８とそれぞれ連通する自在ナット４０がガイド５０により狭着されている。
【００１９】
そして、２つのラックを整列させ、ワッシャ２０を介したボルト１０を作業穴Ｈ１ａ〜Ｈ４ａから挿入すると、スペーサ３０により位置決めされたボルト１０は、連結穴Ｈ１ｂ〜Ｈ４ｂおよび連結穴Ｈ５〜Ｈ８を介して自在ナット４０に当接し、六角レンチＷによるボルト締めで自在ナット４０と螺合し、この作用により２つのラックが緊結される。
【００２０】
すなわち、上記構成のラックでは、棚板ｂｏ１〜ｂｏ７の搭載面外の四隅に梁ＢＥ１〜ＢＥ４を設け、これらにボルト締めするための自在ナット４０と、ボルト１０をガイドするスペーサ３０を予め設けておくようにしている。
【００２１】
したがって、上記構成のラックによれば、ワッシャ２０を介したボルト１０を作業穴Ｈ１ａ〜Ｈ４ａから挿通するだけで、所望の位置にボルト１０が位置決めされ、隣接するラックと容易に緊結でき、またこの作業は棚板ｂｏ１〜ｂｏ７の搭載面外の梁ＢＥ１、ＢＥ２内で行われるので、実装する電子機器を取り外すことなく、他のラックと連結する作業を行うことができる。
【００２２】
尚、この発明は上記実施の形態に限定されるものではない。
その他、この発明の要旨を逸脱しない範囲で種々の変形を施しても同様に実施可能であることはいうまでもない。
【００２３】
【発明の効果】
以上述べたように、この発明では、棚板の物品を載置する面外で複数の棚板間をはり渡す第１の梁と第２の梁とで、ラック同士をボルト−ナット螺合により連結するようにしている。
【００２４】
したがって、この発明によれば、棚板の物品を載置する面外でラック間の連結作業を行うことができるので、実装する物品を取り外すことなく、他のラックと連結する作業を行うことが可能なラックを提供できる。
【図面の簡単な説明】
【図１】この発明に係わるラックの一実施の形態の構成を示す斜視図。
【図２】図１に示したラックを複数連結した状態を示す図。
【図３】ラック間の連結部分の断面を示す図。
【図４】ラック間の連結部分をラックの正面方向から見た透視図。
【図５】ラック間の連結部分をラックの横方向から見た透視図。
【符号の説明】
１０…ボルト、２０…ワッシャ、３０…スペーサ、４０…自在ナット、５０…ガイド、５１…サラリベット、ＢＥ１〜ＢＥ４…梁、ｂｏ１〜ｂｏ７…棚板、Ｈ１ａ、Ｈ２ａ、Ｈ３ａ、Ｈ４ａ…作業穴、Ｈ１ｂ、Ｈ２ｂ、Ｈ３ｂ、Ｈ４ｂ…連結穴、Ｈ５、Ｈ６、Ｈ７、Ｈ８、Ｈ９、Ｈ１０、Ｈ１１、Ｈ１２…連結穴、Ｗ…六角レンチ。
【図１】
2004288904.tif 000003
【図２】
2004288904.tif 000004
【図３】
2004288904.tif 000005
【図４】
2004288904.tif 000006
【図５】
2004288904.tif 000007